(57)【要約】      （修正有）【課題】持ち運びや保管に有利な美理容練習用具を提供する。【解決手段】美理容練習用具１は、輪状の袋体２からなり、袋体２の外表面上に、開閉可能な空気孔３が設けられ、袋体２の内周が人頭模型の首を導入するための貫通路４を形成し、上記内周に沿って、他の部分に対して相対的に伸縮性の高い素材から成る帯状の伸縮部５が設けられ、伸縮部５には、人頭模型の首を袋体２に固定するための留具６が設けられる。【選択図】図１
0003217972.tif 000002
【実用新案登録請求の範囲】
【請求項１】
輪状の袋体からなり、
上記袋体の外表面上に、開閉可能な空気孔が設けられ、
袋体の内周が人頭模型の首を導入するための貫通路を形成し、
袋体の外表面に人頭模型の首を袋体に固定するための留具が設けられた、
美理容練習用具。
【請求項２】
輪状の袋体からなり、
上記袋体の外表面上に、開閉可能な空気孔が設けられ、
袋体の内周が人頭模型の首を導入するための貫通路を形成し、
上記内周に沿って、他の部分に対して相対的に伸縮性の高い素材から成る帯状の伸縮部が設けられ、
上記伸縮部に、人頭模型の首を袋体に固定するための留具が設けられた、
請求項１に記載の美理容練習用具。
【請求項３】
さらに、１以上の締付部材が、上記袋体の伸縮部以外の外表面に設けられている、
請求項２に記載の美理容練習用具。
【請求項４】
袋体内に空気を充満した状態で、上記貫通路の長さ：Ｈ（ｃｍ）が
条件：３≦Ｈ≦１５  を満たす、
請求項１乃至３のいずれかに記載の美理容練習用具。
【請求項５】
内周と外周のいずれもが楕円である輪状の袋体からなり、
袋体の内周を構成する楕円の長辺の長さ：ａ（ｃｍ）、袋体の内周を構成する楕円の短辺の長さ：ｂ（ｃｍ）、袋体の外周を構成する楕円の長辺の長さ：Ａ（ｃｍ）、袋体の外周を構成する楕円の短辺の長さ：Ｂ（ｃｍ）が以下の条件を満たし、
２≦ａ≦８，４≦ｂ≦１０，３０≦Ａ≦４５，１０≦Ｂ≦２５，  
袋体の内周を構成する楕円の短辺、袋体の外周を構成する楕円の短辺、人頭模型の挿入が完了した時点での人頭模型の鼻先と後頭部を結ぶ線の全てが一直線上にある、請求項１乃至４のいずれかに記載の美理容練習用具。
【請求項６】
袋体内に空気を充満した状態で、
人体の肩、背、胸のいずれか１部分以上の形状を模した凹凸及び／又は曲面が袋体の外表面に形成される、
請求項１乃至５のいずれかに記載の美理容練習用具。
【請求項７】
上記袋体の少なくとも一部がプラスチック、エラストマー、ゴム類から選ばれる１種以上を含む材料で構成される、
請求項１乃至６のいずれかに記載の美理容練習用具。
【考案の詳細な説明】
【技術分野】
【０００１】
本考案は理美容の練習に用いる道具である。本考案の理美容練習用具は人頭模型台を固定するための道具である。
【背景技術】
【０００２】
理美容の練習には、人間の頭髪、頭、首を摸した人頭模型が用いられておりこのような人頭模型はカットウィッグ、トレーニングウィッグ、ヘアカットマネキンなどの名称で市販されている。
【０００３】
実際のカットや整髪では顧客の頭髪と上半身とのバランスに配慮するため、理美容の練習の際には人体を模した道具に人頭模型を固定して実際の場面に近づけている。このような人体を模した道具は、トレーニングボディ、トレーニングウィッグホルダーなどと呼ばれ、いくつかの例が知られている。しかしながら、例えば特許文献１、特許文献２、特許文献３に記載された道具は人頭模型を強固に固定できるものの、支持する道具の部品点数が多く大型で、固定方法が煩雑であるという問題点があった。また、特許文献４には人頭模型をマジックテープ（登録商標）で固定することが記載されているが、支持する道具の持ち運びが不便で、その保管に大きな空間を必要とするという問題が残されている。
【先行技術文献】
【特許文献】
【０００４】
【特許文献１】特開２００８-    ６２４０号公報
【特許文献２】特開２００８-  ３６３７６号公報
【特許文献３】特開平９-１６８４２３号公報
【特許文献４】特開２００６-３１４７４２号公報
【考案の概要】
【考案が解決しようとする課題】
【０００５】
そこで本考案者は、より簡素な構造を有し、軽量で持ち運びや保管が容易な、人頭模型を固定するための理美容練習用具を探求した。
【課題を解決するための手段】
【０００６】
その結果、本考案者は、従来品とは全く異なる構造を有する理美容練習用具の感性に成功した。すなわち本考案は以下のものである。
【０００７】
（考案１）輪状の袋体からなり、上記袋体の外表面上に、開閉可能な空気孔が設けられ、袋体の内周が人頭模型の首を導入するための貫通路を形成し、上記内周に沿って、他の部分に対して相対的に伸縮性の高い素材から成る帯状の伸縮部が設けられ、上記伸縮部には、人頭模型の首を袋体に固定するための留具が設けられた、美理容練習用具。
【０００８】
（考案２）さらに、１以上の締付部材が、上記袋体の伸縮部以外の外表面に設けられている、考案１の美理容練習用具。
【０００９】
（考案３）袋体内に空気を充満した状態で、上記貫通路の長さ：Ｈ（ｃｍ）が条件：３≦Ｈ≦１５  を満たす、請求項１または２に記載の美理容練習用具。
【００１０】
（考案４）内周と外周のいずれもが楕円である輪状の袋体からなり、袋体の内周を構成する楕円の長辺の長さ：ａ（ｃｍ）、袋体の内周を構成する楕円の短辺の長さ：ｂ（ｃｍ）、袋体の外周を構成する楕円の長辺の長さ：Ａ（ｃｍ）、袋体の外周を構成する楕円の短辺の長さ：Ｂ（ｃｍ）が条件：２≦ａ≦８，４≦ｂ≦１０，３０≦Ａ≦４５，１０≦Ｂ≦２５を満たし、袋体の内周を構成する楕円の短辺、袋体の外周を構成する楕円の短辺、人頭模型の挿入が完了した時点での人頭模型の鼻先と後頭部を結ぶ線の全てが一直線上にある、考案１，２，３のいずれかの美理容練習用具。
【００１１】
（考案５）袋体内に空気を充満した状態で、人体の肩、背、胸のいずれか１部分以上の形状を模した凹凸及び／又は曲面が袋体の外表面に形成される、考案１乃至４のいずれかの美理容練習用具。
【００１２】
（考案６）上記袋体の少なくとも一部がプラスチック、エラストマー、ゴム類から選ばれる１種以上を含む材料で構成される、考案１乃至５のいずれかの美理容練習用具。
【考案の効果】
【００１３】
本考案の理美容練習用具は、まず、輪状の袋体からなる点で画期的である。本考案の理美容練習用具は伸縮部と伸縮部に設けられた留具とを介して人頭模型の首を貫通路に強固に密着することができ流ので、人頭模型の支持力が高い。しかも本考案の理美容練習用具は遊具の浮き輪のように膨らんだり萎んだりすることができるので、持ち運びや保管が容易である。
【図面の簡単な説明】
【００１４】
【図１】本考案の理美容練習用具を上から見た様子を模式的に示す。
【図２】本考案の理美容練習用具を横から見た様子を模式的に示す。袋体から空気を排出した状態である。
【図３】本考案の理美容練習用具を横から見た様子を模式的に示す。袋体に空気を充満した状態である。
【図４】本考案の理美容練習用具が人頭模型を支持する様子を模式的に示す。人頭模型の顔側から見た様子である。
【図５】本考案の理美容練習用具が人頭模型を支持する様子を模式的に示す。人頭模型の後頭部側から見た様子である。
【図６】本考案の理美容練習用具を上から見た様子を模式的に示す。
【図７】本考案の理美容練習用具を上から見た様子を模式的に示す。
【図８】本考案の理美容練習用具を斜め上から見た様子を模式的に示す。
【図９】本考案の理美容練習用具を上から見た様子を模式的に示す。
【図１０】本考案の理美容練習用具を上から見た様子を模式的に示す。
【考案を実施するための形態】
【００１５】
図面を参照しながら本考案を説明する。理美容練習用具１は輪状の袋体２から成る。最も基本的な形状を図１に示す。すなわち理美容練習用具１は湾曲して端部が連結した中空チューブであればよく、「輪」が均一な太さである必要はなく、「輪」を上から見て真円に見える必要もない。
【００１６】
上記「連結」は、袋体２の両端が密着して袋体２の内部に隔壁を構成した状態であってもよい。上記「連結」は、袋体２の両端の間に距離があり、この距離を後述の締付部材のような部材で調節できる状態であってもよい。上記「連結」は、袋体２の両端部が重なったり捻りあったりした状態であってもよい。上記「連結」は、袋体２の両端部が滑り合うように接触あるいは接近した状態であってもよい。
【００１７】
すなわち理美容練習用具１の形状はリング、ドーナツ、浮き輪、襟巻状などと言い換えられる広範な形状を含む。理美容練習の前後や理美容練習の途中で理美容練習用具１を上から（人等模型の頭の方から床の方向に）見た場合には、理美容練習用具１がアルファベットのＣ，Ｏ，Ｕ，Ｗあるいはギリシャ文字のαのような形状に見えることもあろう。さらに理美容練習用具１を構成する袋体２の表面に凹凸や細かな湾曲があってもよい。
【００１８】
袋体２の材料は軽量で密閉性の高い材料であれば制限されない。一般的はプラスチック、エラストマー、ゴム類から選ばれる１種以上からなるシートあるいはフィルムが用いられる。
【００１９】
上記袋体２の外表面上には開閉可能な空気孔３が設けられている。空気孔３の構造は制限されない。遊具の浮き輪の空気孔のような、使用しない時には端部を袋体内部に陥没させることができる構造は、理美容練習時に空気孔３が作業の妨げにならないので、好ましい。
【００２０】
袋体２の内周が人頭模型台１３の首１４を導入するための貫通路４を形成する。袋体２に空気が入っていない状態では、図２に示すように理美容練習用具１は扁平で薄い。この状態で理美容練習用具１を容易に持ち運び、保管することができる。
【００２１】
空気孔３から空気が入って袋体２が膨らむと、図３、図４、図５に示すように人頭模型台１３の首１４の一部分を包囲することのできる長さを有する貫通路４が完成する。貫通路４の長さＨは人頭模型１３に応じ変動可能である。は、袋体２内に空気を充満した状態で、長さＨが一般的に３ｃｍ以上１５ｃｍ以下、好ましくは６ｃｍ以上１０ｃｍ以下とする。
【００２２】
図１、図２、図３に示すように、任意に、上記内周に沿って、他の部分に対して相対的に伸縮性の高い素材から成る帯状の伸縮部５を設けることができる。伸縮部５の幅（帯の幅）に制限はなく、均一であってもなくてもよい。伸縮部５の材料は伸縮性が高く軽量で密閉性の高い材料であれば制限されない。一般的はプラスチック、エラストマー、ゴム類から選ばれる１種以上からなるシートやフィルム、あるいはこれと伸縮性の高い繊維を複合化けした素材などが用いられる。
【００２３】
上記伸縮部５には、人頭模型１３の首１４を袋体２に固定するための留具６が設けられる。この留具６の構造は伸縮部５を内周に沿って締めることができるものであれば制限されない。留具６としては一般的にはマジックテープ、紐、鉤ホック、ベルトなどを用いる。これらとサイドリリースバックルなどの各種アジャスターを組み合わせることもできる。留具６を内周方向に引き合わせて閉じると、伸縮部５の長さ（帯の長さ）が短くなる。その結果、伸縮部５をよりきつく首１４に密着させることができる。
【００２４】
図５に示すように、留具６が人頭模型１３の後頭部側（首の後ろ側）に位置するように理美容練習用具１に人頭模型１３の首１４を貫通させる。このような位置関係で留具６を締める作業によって、実際のカットや整髪で顧客の首の後ろでクロスを綴じ合わせる作業を模擬体験できる。
【００２５】
さらに、袋体２の伸縮部５と異なる外表面に締付部材１１を設けることができる。締付部材１１の構造は袋体２の伸縮部５以外の部分を内周に沿って締めることができるものであれば制限されない。締付部材１１としては一般的にはマジックテープ、紐、鉤ホック、ベルトなどを用いる。これらとサイドリリースバックルなどの各種アジャスターを組み合わせることもできる。袋体２の伸縮部５以外の部分が広い場合には締付部材１１を複数設けることができる。留具６を締め付けた後に締付部材１１を内周方向に引き合わせて閉じると、袋体２の長さ（首１４を囲む長さ）が短くなる。その結果、袋体２をよりきつく首１４に密着させることができる。
【００２６】
好ましくは、図５に示すように、締付部材１１を挿入留具６の近傍に、すなわち挿入留具６と締付部材１１の両方が人頭模型１３の後頭部側（首の後ろ側）に位置するように設ける。このような位置関係で留具６と締付部材１１を締める作業によって、実際のカットや整髪で顧客の首の後ろでクロスを綴じ合わせる作業を模擬体験できる。
【００２７】
練習後には、まず留具６や締付部材１１を解き、袋体２の首１４への締め付けを緩める。次に人頭模型１３を貫通路４から引き抜いて人頭模型１３を理美容練習用具１から外す。最後に空気孔３を開けて袋体２から空気を排出すると、理美容練習用具１は図２に示すような使用前の状態に戻る。こうして理美容練習用具１を簡単に片付けることができる。
【００２８】
上から見て内周と外周のいずれもが楕円である輪状の袋体２上から理美容練習用具１を構成すると、より実際に近い状態で練習することができる。この場合の理美容練習用具１の形状は、大まかには図６、図７に示すものである。このような形状の袋体２を空気で膨らませると、楕円の長辺（７，９）方向が人の両肩を結ぶ向きに見え、楕円の短辺（８．１０）が人の胸と背中を結ぶ向きに見えるので、より実際に近い感覚で練習することができる。
【００２９】
このような楕円の袋体２を模式的に図６、図７に示す。典型的には、袋体２の内周を構成する楕円の長辺７の長さ：ａ（ｃｍ）、袋体の内周を構成する楕円の短辺８の長さ：ｂ（ｃｍ）、袋体の外周を構成する楕円の長辺９の長さ：Ａ（ｃｍ）、袋体の外周を構成する楕円の短辺１０の長さ：Ｂ（ｃｍ）が、条件：２≦ａ≦８，４≦ｂ≦１０，３０≦Ａ≦４５，１０≦Ｂ≦２５  を満たす。なお上記長さａ，ｂ，Ａ，Ｂは袋体２に空気を充満した状態の長さ（いわゆる出来上がり寸法）である。そして、袋体の内周を構成する楕円の短辺８、袋体の外周を構成する楕円の短辺１０、人頭模型１３の挿入が完了した時点での人頭模型の鼻先と後頭部を結ぶ線の全てが最終的に一直線上にあるように、袋体２に人頭模型１３が挿入される。
【００３０】
より現実のカットや整髪場面を再現するために、理美容練習用具１の形状をさらに複雑にすることもできる。例えば図８、図９に示すように、袋体２内に空気を充満した状態で、人体の肩、背、胸のいずれか１部分以上の形状を模した凹凸及び／又は曲面（１５．１６．１７）が袋体２の外表面で視認できるように、袋体２を成形する。上記凹凸及び／又は曲面（１５．１６．１７）は、人頭模型１３が模している人物の年齢や性別に応じて様々に変更することができる。
【００３１】
このような複雑形状の袋体２の場合、図１０に示すように、肩幅９を先述の長辺９（長さ：Ａ）と解釈して、胸部厚み１０を先述の短辺１０（長さ：Ｂ）に置き換えて、袋体２のサイズを決定することができる。
【実施例】
【００３２】
塩化ビニルとエラストマーを主材料として、図８、図９、図１０に模式的に示される本考案の理美容練習用具１を作製した。伸縮部４は、伸縮性の高いエラストマーとゴム繊維の複合体からなるシート部材とからなる。理美容練習用具１の練習台に接地側（隠れており図示しない）には補強材を加え、接地側を高比重でより厚い材料で形成した。留具６は、マジックテープからなる。締付部材１１は、長さを調節できるベルトからなる。美理容練習用具１全体を片手で持ち運びできる。５個以上の美理容練習用具１を空気を抜いた状態で重ねて収納することができた。
【００３３】
袋体２の内周を構成する楕円の長辺７の長さ：ａ（ｃｍ）、袋体の内周を構成する楕円の短辺８の長さ：ｂ（ｃｍ）、袋体の外周を構成する楕円の長辺９（肩幅９）の長さ（：Ａ（ｃｍ）、袋体の外周を構成する楕円の短辺１０（胸部厚み１０）の長さ：Ｂ（ｃｍ）は、袋体２に空気が充満した状態で、ａ＝７，ｂ＝５，  Ａ＝３９，Ｂ＝１７であった。
【００３４】
また袋体２に空気が充満した状態で貫通路４の長さＨは８ｃｍに達した。この状態で貫通路４に人頭模型１３の首４を挿入した。留具６を締め、さらに締付部材１１を締めて人頭模型１３の固定を完了した。貫通路４に人頭模型１３の首１４を差し込む過程で伸縮部５が首１４の表面に密着して貫通路４内部に引き込まれるため、人頭模型１３の固定が完了した時点では貫通路４の長さＨは５ｃｍであった。人頭模型１３の挿入開始から数分で固定が完了した。
【００３５】
人頭模型１３が固定された美理容練習用具１を練習机台に固定してカットと整髪の練習に用いたところ、美理容練習用具１の重心は安定しており、練習に支障はなかった。練習後に人頭模型１３を外して空気孔３から排気した。美理容練習用具１の表面に傷つきや変形は認められなかった。美理容練習用具１が反復使用に耐えることが確認された。
【産業上の利用可能性】
【００３６】
本考案の美理容練習用具は軽量、小型で、持ち運びや保管が容易である。本発明の美理容練習用具は狭い店舗や出張講習での美理容練習に適している。さらに本発考案の美理容練習用具を用いると、簡単な操作で短時間のうちに人頭模型を固定することができる。このような本考案の美理容練習用具はハンディキャップを有する美容師・理容師でも簡単に扱える道具である。本考案の美理容練習用具は美理容産業の作業効率化に貢献することができる。
【符号の説明】
【００３７】
１  美理容練習用具
２  袋体
３  空気孔
４  貫通路
５  伸縮部
６  留具
７  内周を構成する楕円の長辺（長さ：  ａ（ｃｍ））
８  内周を構成する楕円の短辺（長さ：ｂ（ｃｍ））
９  外周を構成する楕円の長辺、または、肩幅（長さ：Ａ（ｃｍ））
１０  内周を構成する楕円の短辺、または、胸部厚み（長さ：Ｂ（ｃｍ））
１１  締付部材
１２  貫通路の長さ：Ｈ（ｃｍ）
１３  人頭模型台
１４  人頭模型台の首
１５  肩
１６  背
１７  胸
【図１】
0003217972.tif 000003
【図２】
0003217972.tif 000004
【図３】
0003217972.tif 000005
【図４】
0003217972.tif 000006
【図５】
0003217972.tif 000007
【図６】
0003217972.tif 000008
【図７】
0003217972.tif 000009
【図８】
0003217972.tif 000010
【図９】
0003217972.tif 000011
【図１０】
0003217972.tif 000012
【手続補正書】
【提出日】平成30年7月6日(2018.7.6)
【手続補正１】
【補正対象書類名】明細書
【補正対象項目名】０００６
【補正方法】変更
【補正の内容】
【０００６】
その結果、本考案者は、従来品とは全く異なる構造を有する理美容練習用具の完成に成功した。すなわち本考案は以下のものである。
（考案１）  輪状の袋体からなり、上記袋体の外表面上に、開閉可能な空気孔が設けられ、袋体の内周が人頭模型の首を導入するための貫通路を形成し、袋体の外表面に人頭模型の首を袋体に固定するための留具が設けられた、美理容練習用具。
【手続補正２】
【補正対象書類名】明細書
【補正対象項目名】０００７
【補正方法】変更
【補正の内容】
【０００７】
（考案２）  輪状の袋体からなり、上記袋体の外表面上に、開閉可能な空気孔が設けられ、袋体の内周が人頭模型の首を導入するための貫通路を形成し、上記内周に沿って、他の部分に対して相対的に伸縮性の高い素材から成る帯状の伸縮部が設けられ、上記伸縮部に、人頭模型の首を袋体に固定するための留具が設けられた、考案１の美理容練習用具。
【手続補正３】
【補正対象書類名】明細書
【補正対象項目名】０００８
【補正方法】変更
【補正の内容】
【０００８】
（考案３）  さらに、１以上の締付部材が、上記袋体の伸縮部以外の外表面に設けられている、考案２の美理容練習用具。
【手続補正４】
【補正対象書類名】明細書
【補正対象項目名】０００９
【補正方法】変更
【補正の内容】
【０００９】
（考案４）  袋体内に空気を充満した状態で、上記貫通路の長さ：Ｈ（ｃｍ）が条件：３≦Ｈ≦１５  を満たす、考案１乃至３のいずれかの美理容練習用具。
【手続補正５】
【補正対象書類名】明細書
【補正対象項目名】００１０
【補正方法】変更
【補正の内容】
【００１０】
（考案５）  内周と外周のいずれもが楕円である輪状の袋体からなり、袋体の内周を構成する楕円の長辺の長さ：ａ（ｃｍ）、袋体の内周を構成する楕円の短辺の長さ：ｂ（ｃｍ）、袋体の外周を構成する楕円の長辺の長さ：Ａ（ｃｍ）、袋体の外周を構成する楕円の短辺の長さ：Ｂ（ｃｍ）が以下の条件を満たし、
２≦ａ≦８，４≦ｂ≦１０，３０≦Ａ≦４５，１０≦Ｂ≦２５，  
袋体の内周を構成する楕円の短辺、袋体の外周を構成する楕円の短辺、人頭模型の挿入が完了した時点での人頭模型の鼻先と後頭部を結ぶ線の全てが一直線上にある、考案１乃至４のいずれかの美理容練習用具。
【手続補正６】
【補正対象書類名】明細書
【補正対象項目名】００１１
【補正方法】変更
【補正の内容】
【００１１】
（考案６）  袋体内に空気を充満した状態で、人体の肩、背、胸のいずれか１部分以上の形状を模した凹凸及び／又は曲面が袋体の外表面に形成される、考案１乃至５のいずれかの美理容練習用具。
【手続補正７】
【補正対象書類名】明細書
【補正対象項目名】００１２
【補正方法】変更
【補正の内容】
【００１２】
（考案７）  上記袋体の少なくとも一部がプラスチック、エラストマー、ゴム類から選ばれる１種以上を含む材料で構成される、考案１乃至６のいずれかの美理容練習用具。